(57)【要約】      （修正有）【課題】異種装置間で電池の共通化を可能とする電池ホルダを提供する。【解決手段】測量装置に電池５を実装するための電池ホルダ４であって、前記電池は先端面に接点１７と、両側面に下面に沿って形成された装着溝１８とを有し、前記電池ホルダはフランジ部と、該フランジ部から延出する電池ケース１４とを有し、該電池ケースは両側面の前記装着溝と対応する位置にそれぞれ片持支持に形成された係止片２５を有し、前記電池を前記電池ケースに嵌込むと前記係止片は弾性変位を介して前記装着溝に係合し、該係止片は前記電池を前記電池ケースに保持し、前記電池ホルダを前記測量装置の電源ユニット収納庫に挿入すると、前記係止片が該電源ユニット収納庫側の部材に当接し、前記係止片の弾性変位が拘束される様構成された電池ホルダ。【選択図】図２
2020161334.tif 000002
【特許請求の範囲】
【請求項１】
測量装置に電池を実装するための電池ホルダであって、前記電池は先端面に接点と、両側面に下面に沿って形成された装着溝とを有し、前記電池ホルダはフランジ部と、該フランジ部から延出する電池ケースとを有し、該電池ケースは両側面の前記装着溝と対応する位置にそれぞれ片持支持に形成された係止片を有し、前記電池を前記電池ケースに嵌込むと前記係止片は弾性変位を介して前記装着溝に係合し、該係止片は前記電池を前記電池ケースに保持し、前記電池ホルダを前記測量装置の電源ユニット収納庫に挿入すると、前記係止片が該電源ユニット収納庫側の部材に当接し、前記係止片の弾性変位が拘束される様構成された電池ホルダ。
【請求項２】
前記電池ケースは上方が開放された直方体形状をしており、前記電池ケースの先端部の下側が全幅に亘って欠切され、前記接点を露出させる開口部を有し、前記電池は前記電池ケースに上方から実装され、前記電池が実装された前記電池ホルダを前記電源ユニット収納庫に水平方向から挿入し、前記電池を前記測量装置に実装すると共に前記接点と前記測量装置側の接点とを接続させる様構成した請求項１に記載の電池ホルダ。
【請求項３】
前記フランジ部にロック部が設けられ、該ロック部はロック摘みと、該ロック摘みと共に回転するロックプレートとを有し、該ロックプレートは両端部に係合孔を有し、該係合孔は前記電池ホルダの前記電源ユニット収納庫への挿入により、該電源ユニット収納庫に設けられたロックピンに嵌合し、前記ロック摘みの回転により前記係合孔と前記ロックピンとが係合する様構成された請求項１に記載の電池ホルダ。
【請求項４】
前記係止片の内面には前記装着溝と嵌合する内面突起が形成され、前記係止片の外面には前記電源ユニット収納庫の内壁に当接可能な外面突起が形成された請求項１に記載の電池ホルダ。
【発明の詳細な説明】
【技術分野】
【０００１】
本発明は電源ユニットを容易に着脱可能な電池ホルダに関するものである。
【背景技術】
【０００２】
製造コストの低減を図る為、異種装置間で、部品、ユニットの共通化が促進されている。
【０００３】
部品、ユニットの共通化を図る場合、異種装置が同時に開発される場合は、部品、ユニットの共通化を含んだ開発計画となる為、部品、ユニットの形状、取付け構造等共通化を可能とする設計を行うことができる。然し乍ら、完成時期の異なる異種装置間では、各装置毎に最適な部品、ユニットが採用される為、部品、ユニットの共通化が困難な場合がある。
【０００４】
例えば、電源ユニットに使用される電池の性能は日々向上しているが、電池の性能向上と共に小型化が図られ、又電池の形状も変化している。
【０００５】
従って、従前の装置を含めて電池或は電源ユニットの共通化を図るのは困難であった。
【先行技術文献】
【特許文献】
【０００６】
【特許文献１】特許第３４２８１８２号公報
【発明の概要】
【発明が解決しようとする課題】
【０００７】
本発明は、異種装置間で電池の共通化を可能とする電池ホルダを提供するものである。
【課題を解決するための手段】
【０００８】
本発明は、測量装置に電池を実装するための電池ホルダであって、前記電池は先端面に接点と、両側面に下面に沿って形成された装着溝とを有し、前記電池ホルダはフランジ部と、該フランジ部から延出する電池ケースとを有し、該電池ケースは両側面の前記装着溝と対応する位置にそれぞれ片持支持に形成された係止片を有し、前記電池を前記電池ケースに嵌込むと前記係止片は弾性変位を介して前記装着溝に係合し、該係止片は前記電池を前記電池ケースに保持し、前記電池ホルダを前記測量装置の電源ユニット収納庫に挿入すると、前記係止片が該電源ユニット収納庫側の部材に当接し、前記係止片の弾性変位が拘束される様構成された電池ホルダに係るものである。
【０００９】
又本発明は、前記電池ケースは上方が開放された直方体形状をしており、前記電池ケースの先端部の下側が全幅に亘って欠切され、前記接点を露出させる開口部を有し、前記電池は前記電池ケースに上方から実装され、前記電池が実装された前記電池ホルダを前記電源ユニット収納庫に水平方向から挿入し、前記電池を前記測量装置に実装すると共に前記接点と前記測量装置側の接点とを接続させる様構成した電池ホルダに係るものである。
【００１０】
又本発明は、前記フランジ部にロック部が設けられ、該ロック部はロック摘みと、該ロック摘みと共に回転するロックプレートとを有し、該ロックプレートは両端部に係合孔を有し、該係合孔は前記電池ホルダの前記電源ユニット収納庫への挿入により、該電源ユニット収納庫に設けられたロックピンに嵌合し、前記ロック摘みの回転により前記係合孔と前記ロックピンとが係合する様構成された電池ホルダに係るものである。
【００１１】
更に又本発明は、前記係止片の内面には前記装着溝と嵌合する内面突起が形成され、前記係止片の外面には前記電源ユニット収納庫の内壁に当接可能な外面突起が形成された電池ホルダに係るものである。
【発明の効果】
【００１２】
本発明によれば、測量装置に電池を実装するための電池ホルダであって、前記電池は先端面に接点と、両側面に下面に沿って形成された装着溝とを有し、前記電池ホルダはフランジ部と、該フランジ部から延出する電池ケースとを有し、該電池ケースは両側面の前記装着溝と対応する位置にそれぞれ片持支持に形成された係止片を有し、前記電池を前記電池ケースに嵌込むと前記係止片は弾性変位を介して前記装着溝に係合し、該係止片は前記電池を前記電池ケースに保持し、前記電池ホルダを前記測量装置の電源ユニット収納庫に挿入すると、前記係止片が該電源ユニット収納庫側の部材に当接し、前記係止片の弾性変位が拘束される様構成されたので、電池ホルダを介して取付け構造の異なる電池の測量装置への実装が可能となり、異種装置間で電池の共通化が可能となるという優れた効果を発揮する。
【図面の簡単な説明】
【００１３】
【図１】本発明に係る実施例の全体斜視図である。
【図２】本実施例の電池ホルダと電池との関係を示す斜視図である。
【図３】電池の下方からの斜視図である。
【図４】係止片を示す電池ケースの部分斜視図である。
【図５】電池を電池ホルダに実装した状態の前方、上方からの斜視図である。
【図６】電池を電池ホルダに実装した状態の前方、下方からの斜視図である。
【発明を実施するための形態】
【００１４】
以下、図面を参照しつつ本発明の実施例を説明する。
【００１５】
図１を参照して本実施例の概略を説明する。本実施例では測量装置の一例として、パイプを設置する場合に使用されるパイプレーザを示している。
【００１６】
図１は測量装置１の後方からの斜視図であり、図１中、２は測量装置本体、３は電源ユニット、４は電池ホルダ、５は電池を示している。
【００１７】
前記電源ユニット３は、前記測量装置本体２の後方から装脱される様になっている。
【００１８】
前記測量装置本体２は後方に開口する電源ユニット収納庫７を有し、該電源ユニット収納庫７の開口の周囲には前記測量装置本体２の後端面より内部側に後退した突当て面８が形成されている。
【００１９】
前記突当て面８より更に内部側に後退したフランジ面１０に、開口を挾んだ２箇所（図示では左右２箇所）にロックピン１１が突設されている。
【００２０】
前記電源ユニット３は前記電池ホルダ４及び前記電池５から構成され、該電池５は上方から前記電池ホルダ４に実装される様になっている。
【００２１】
前記電池ホルダ４は、フランジ部１３及び前方に延出する電池ケース１４からなっている。該電池ケース１４は浅底の凹部が形成され、該凹部に前記電池５が上方から嵌め込まれる。該電池５の前面（図中、測量装置本体２側の先端面）には電気接点（後述）が設けられている。
【００２２】
前記フランジ部１３は前記突当て面８に当接し、該突当て面８の後退部分を充足する様になっている。又、前記フランジ部１３は前記電源ユニット収納庫７の開口を閉塞する蓋１２を有し、該蓋１２にはシール９が設けられ、該シール９は前記開口の周縁に当接可能となっている。尚、前記シール９は前記突当て面８側に設けられてもよい。
【００２３】
更に前記フランジ部１３にはロック部１６（図２参照）が設けられている。該ロック部１６はロック摘み１５及びロックプレート２１（図２参照）を有し、該ロック摘み１５は前記フランジ部１３に於いて、軸心方向の変位はなく、回転のみ可能に保持される。前記ロックプレート２１は、両端部に前記ロックピン１１と係合する係合孔２２を有し、前記ロック摘み１５によって回転される様になっている。
【００２４】
前記電源ユニット３を前記電源ユニット収納庫７に実装し、完全に実装した状態で前記電池５の接点が測量装置本体２側の接点と接合する様になっている。前記電源ユニット３を実装した状態で、前記ロック摘み１５を回転させることで、前記ロックプレート２１が前記ロックピン１１に係合し、前記電源ユニット３を前記測量装置本体２にロックすると共に液密にシールする構造となっている。
【００２５】
先ず、本実施例に用いられる電池５について、図２、図３を参照して説明する。尚、図２中、左が後方、右が前方となっている。
【００２６】
該電池５は直方体形状であり、他機種にも使用される汎用電池となっている。
【００２７】
該電池５の前面下部には接点１７が設けられている。該接点１７は相手側の接点に押圧されることで接点間の接触が行われる様になっている。
【００２８】
前記電池５の両側面下端には、前後２箇所、計４箇所に該電池５を装着する為の装着溝１８が形成されている。又、前記電池５の後面下端には、位置決め用の凹部１９が形成されている。
【００２９】
前記装着溝１８は横倒しのＬ字形状を有し、該装着溝１８は底面と平行な水平溝部１８ａと該水平溝部１８ａと直角に連続し、下面に開口する垂直溝部１８ｂから構成される。
【００３０】
前記電池５自体が有する通常の実装方法としては、該電池５が実装される装置側に突起（図示せず）が設けられ、該突起が前記垂直溝部１８ｂに進入する様前記電池５が上方から設置され、設置後電池５を水平方向にスライドさせ、前記突起が前記水平溝部１８ａに嵌合することで前記電池５が保持されると共に前記接点１７が相手側接点に接触する様になっている。
【００３１】
一方、本実施例では、前記水平溝部１８ａのみが用いられて前記電池５が保持される。
【００３２】
前記電池ケース１４について説明する。
【００３３】
該電池ケース１４は、合成樹脂製であり、概略、上方が開放された浅底の直方体形状をしており、前方端部の下側が全幅に亘って欠切され、開口部２３が形成される。
【００３４】
前記電池ケース１４の底面後端部の中央には、前記凹部１９に嵌合する凸部２４が形成されている。
【００３５】
又、電池ケース１４の各側壁１４ａの前後２箇所に係止片２５が形成される。
【００３６】
図４にも示される様に、該係止片２５は片持支持に形成され、該係止片２５の内面には内面突起２５ａが突設され、該係止片２５の外面には外面突起２５ｂが突設される。
【００３７】
前記係止片２５は、前記電池ケース１４の材質の有する弾性によって先端部が弾性変位可能となっている。又、弾性変位量は、少なくとも前記内面突起２５ａの突出量分が確保されている。
【００３８】
前記係止片２５の前後方向の位置は、図２に示される様に、前記水平溝部１８ａとなっている。
【００３９】
前記電池５が上方から前記電池ケース１４に嵌合すると、前記内面突起２５ａが前記水平溝部１８ａの土手１８ｃを乗越え前記水平溝部１８ａに嵌合し、前記電池５を保持する。同時に、前記凸部２４が前記凹部１９に嵌合し、前記電池５は前記電池ケース１４、即ち電池ホルダ４に保持されると共に該電池ホルダ４に対して位置決めされる。又、前記電池５を取外すときは、前記電池ホルダ４に対して前記電池５へ上方への力を加えることで、前記係止片２５が弾性変位し、前記内面突起２５ａが前記水平溝部１８ａから外れ、前記電池５を取外すことができる。即ち、該電池５は前記電池ホルダ４に対して上方から簡単に着脱することができる。
【００４０】
前記電池５が前記電池ホルダ４に実装された状態を図５、図６に示す。
【００４１】
前記電池５が前記電池ホルダ４に実装された状態では、前記開口部２３より前記接点１７が露出する様になっている。前記電池５が実装された前記電池ホルダ４はユニット化され、前記電源ユニット３として取扱うことができる。
【００４２】
該電源ユニット３を前記測量装置本体２に実装する場合は、前記電源ユニット３を前記電源ユニット収納庫７に水平方向から実装する。前記電源ユニット３が前記電源ユニット収納庫７に実装されると、前記外面突起２５ｂが前記電源ユニット収納庫７側の部材、例えば内壁に当接し、前記係止片２５の弾性変位が抑止される。即ち、前記内面突起２５ａの前記水平溝部１８ａからの離脱方向の変位が拘束され、前記係止片２５は前記内面突起２５ａと前記水平溝部１８ａとの係合を介して、前記電池５を確実、強固に保持する。
【００４３】
前記電源ユニット３が前記電源ユニット収納庫７に完全に実装されると、前記接点１７が前記測量装置本体２側の接点と接触し、前記電池５から前記測量装置本体２への給電が可能となる。
【００４４】
更に、前記係合孔２２は前記ロックピン１１と嵌合し、前記ロック摘み１５を回転することで前記ロックプレート２１も回転し、前記係合孔２２と前記ロックピン１１とが係合し、前記電源ユニット３は前記測量装置本体２にロックされると共に前記電源ユニット３と前記測量装置本体２とは前記シール９によってシールされる。
【００４５】
尚、前記係合孔２２と前記ロックピン１１との係合については、種々考えられるが、一例として、前記ロックピン１１が大径の頭部と小径の基部を有する２段ピンであり、前記係合孔２２が大径部と該大径部に連続する小径部を有する達磨形状をしており、前記ロックピン１１の頭部が前記係合孔２２の大径部に挿通した状態で、前記ロックプレート２１を回転し、前記基部に前記係合孔２２の小径部を嵌合させれば、ロック状態が得られる等である。
【００４６】
本実施例によれば、電池５を上方からの一動作で簡単に電池ホルダ４に着脱でき、更に電池５と電池ホルダ４とでユニット化した電源ユニット３を水平方向からの一動作で測量装置本体２に簡単に装脱できる。従って、電池５自体が有する取付け構造、取付け方法によらず、電池５を測量装置１に実装することができ、電池５の共通化を可能とする。
【００４７】
尚、上記実施例では電池５が側面にＬ字状の装着溝１８を有する場合を説明したが、Ｌ字状に限らず電池５の下面に沿って形成された溝部を有すれば本実施例が適用可能となる。
【００４８】
又、前記係止片２５は、電池ホルダ４の前記電源ユニット収納庫７への実装状態で前記電源ユニット収納庫７の壁面、或は該電源ユニット収納庫７に設けられた部材によって変位が拘束されればよく、前記外面突起２５ｂは省略することもできる。
【符号の説明】
【００４９】
１              測量装置
２              測量装置本体
３              電源ユニット
４              電池ホルダ
５              電池
７              電源ユニット収納庫
１１            ロックピン
１４            電池ケース
１７            接点
１８            装着溝
１８ａ          水平溝部
１８ｂ          垂直溝部
１８ｃ          土手
２４            凸部
２５            係止片
２５ａ          内面突起
２５ｂ          外面突起
【図１】
2020161334.tif 000003
【図２】
2020161334.tif 000004
【図３】
2020161334.tif 000005
【図４】
2020161334.tif 000006
【図５】
2020161334.tif 000007
【図６】
2020161334.tif 000008